(57)【要約】【課題】従来のＱＡＭ信号の送受信システムでは、急激に変化するフェージング等に対して十分に追従することができず、受信したＱＡＭ信号のレベルを安定に制御することができない。【解決手段】フレーム付加器１１はユーザデータに周期的にフレームデータを付加する。フレームデータは、送受信されるＱＡＭ信号の信号点配置図における四隅の点となるようなデータが複数シンボル分からなる。シンボル点抽出回路４３は、シンボルレートに対して８倍のサンプリングレートで入力されるデータ列のうち、フレームデータが既知であることを利用して相関をとることにより、何番目のデータ列がシンボル点であるかを判定してシンボル点の抽出をする。ＡＬＣ回路４４は、シンボル点の各データの絶対値の平均値を算出し、その平均値に基づいてＩ信号とＱ信号それぞれのシンボル間の閾値を求める。【選択図】図１
2007110386.tif 000002
【特許請求の範囲】
【請求項１】
ユーザデータを直交振幅変調して得た直交振幅変調波信号を無線送信し、無線送信された前記直交振幅変調波信号を受信して直交復調する無線通信方法において、
前記ユーザデータに、前記直交振幅変調波信号の信号点配置図において予め定めた複数の信号点の複数のシンボルデータからなるフレームデータを一定周期で付加する第１のステップと、
前記フレームデータが付加された前記ユーザデータを、シンボルデータのＩ信号とＱ信号に変換する第２のステップと、
前記Ｉ信号及びＱ信号から前記直交振幅変調波信号を生成する第３のステップと、
生成された前記直交振幅変調波信号を無線送信する第４のステップと、
無線送信された前記直交振幅変調波信号を受信する第５のステップと、
受信した前記直交振幅変調波信号を直交復調して復調Ｉ信号と復調Ｑ信号を得る第６のステップと、
前記復調Ｉ信号又は前記復調Ｑ信号に付加された前記フレームデータからシンボル点を抽出する第７のステップと、
前記第７のステップで抽出したシンボル点に基づいて、一定周期に付加されている複数のシンボル点の絶対値の平均値を計算し、その平均値に基づいて前記復調Ｉ信号と復調Ｑ信号の閾値を算出する第８のステップと、
前記閾値を用いて前記復調Ｉ信号と復調Ｑ信号をシンボルデータからビットデータに変換して前記ユーザデータを復調する第９のステップと
を含むことを特徴とする無線通信方法。
【請求項２】
前記第１のステップは、前記直交振幅変調波信号の信号点配置図において四隅の位置にある４つの信号点又は四隅の位置のうち対角位置にある２つの信号点からなるデータを前記フレームデータとして前記ユーザデータに付加することを特徴とする請求項１記載の無線通信方法。
【請求項３】
ユーザデータを直交振幅変調して生成された直交振幅変調波信号を無線送信する送信装置に設けられた変調装置において、
前記ユーザデータに、前記直交振幅変調波信号の信号点配置図において予め定めた複数の信号点の複数のシンボルデータからなるフレームデータを一定周期で付加するフレームデータ付加手段と、
前記フレームデータが付加された前記ユーザデータを、シンボルデータのＩ信号とＱ信号に変換するビット／シンボル変換手段と、
前記Ｉ信号及びＱ信号から前記直交振幅変調波信号を生成する直交変調手段と
を有することを特徴とする変調装置。
【請求項４】
前記フレームデータ付加手段は、前記直交振幅変調波信号の信号点配置図において四隅の位置にある４つの信号点又は四隅の位置のうち対角位置にある２つの信号点からなるデータを前記フレームデータとして前記ユーザデータに付加することを特徴とする請求項３記載の変調装置。
【請求項５】
ユーザデータに、送受信する直交振幅変調波信号の信号点配置図において予め定めた複数の信号点の複数のシンボルデータからなるフレームデータが、一定周期で付加されたデータを、直交振幅変調して生成された直交振幅変調波信号を受信する受信装置に設けられた復調装置であって、
受信した前記直交振幅変調波信号を直交復調して復調Ｉ信号と復調Ｑ信号を得る直交復調手段と、
前記復調Ｉ信号又は前記復調Ｑ信号に付加された前記フレームデータからシンボル点を抽出するシンボル点抽出手段と、
前記シンボル点抽出手段で抽出したシンボル点に基づいて、前記一定周期に付加されている複数のシンボル点の絶対値の平均値を計算し、その平均値に基づいて前記復調Ｉ信号と復調Ｑ信号の閾値を算出するレベル制御手段と、
前記閾値を用いて前記復調Ｉ信号と復調Ｑ信号をシンボルデータからビットデータに変換して前記ユーザデータを復調するシンボル／ビット変換手段と
を有することを特徴とする復調装置。
【請求項６】
前記フレームデータは、前記直交振幅変調波信号の信号点配置図において四隅の位置にある４つの信号点又は四隅の位置のうち対角位置にある２つの信号点からなるデータであることを特徴とする請求項５記載の復調装置。
【発明の詳細な説明】
【技術分野】
【０００１】
本発明は無線通信方法並びに変調装置及び復調装置に係り、特に受信した直交振幅変調波（ＱＡＭ：Quadrature Amplitude Modulation）のレベルを自動制御する機能を受信側に備えた無線通信方法並びに変調装置及び復調装置に関する。
【背景技術】
【０００２】
ディジタル移動通信の分野においては、周波数利用効率の向上を目指し、伝送信号の変調方式として、位相偏移変調（ＰＳＫ）方式や４相位相変調（ＱＰＳＫ）方式、π／４シフトＱＰＳＫなどの位相変調方式が用いられているが、より一層の周波数利用効率の向上を求めて、ＱＰＳＫの２倍の周波数利用効率を有する１６ＱＡＭ等の多値ＱＡＭが採用されるようになった。
【０００３】
しかし、上記の変調方式で変調された変調波を所定の送信信号帯で送信し、それを受信する送受信システムでは、受信側で受信した信号レベルを自動利得制御（ＡＧＣ）回路により一定に制御しているが、それでもフェージング等により規定レベル±数ｄＢｍの偏差が発生する。
【０００４】
これまでに多く用いられてきた位相変調方式であれば、復調側でシンボル／ビット変換する際には、受信レベルを重要視されることはなかったが、上記の多値ＱＡＭでは、位相だけでなく受信レベルもシンボル／ビット変換する際の重要な要素となった。そのため、高い精度でのレベル補正が必要になる。
【０００５】
そこで、ノイズの影響を受けることなく、受信多値ＱＡＭ信号を識別するための適正な閾値を設定する方法が従来開示されている（例えば、特許文献１参照）。この特許文献１記載の方法では、多値ＱＡＭ信号のＩ成分をＩ軸用閾値と比較してＩ軸エリアを判定し、その判定結果でＩ成分を除算してＩ軸用除算値を得、そのＩ軸用除算値に基づいてＩ軸用閾値を更新し、多値ＱＡＭ信号のＱ成分についても上記と同様にしてＱ軸用閾値を更新する。これにより、エリア判定のためのＩ軸用閾値とＱ軸用閾値とを適応的に設定するものである。
【０００６】
また、ＩＱ平面上で振幅が最大になる複数の点のうち位相が反転している２つの点をＩキャリアに対する基準信号として設定する無線通信システムも従来知られている（例えば、特許文献２参照）。この特許文献２記載のシステムによれば、上記の基準信号にパイロットシンボルを挿入したシンボルを周期的に形成し、受信機側でデータシンボルを検出し、既知のパイロットシンボルに従ってフェージング変動の推定値を算出し、フェージングを補償したものであり、１つの多値変調方式でデータの送受信とパイロットシンボルの送受信を行え、また基準信号以外の信号点をデータシンボルとすることで送信データの低下を抑制する。
【０００７】
【特許文献１】特開２００３−１０１６０２号公報
【特許文献２】特開２００４−２９７１４４号公報（段落００２８）
【発明の開示】
【発明が解決しようとする課題】
【０００８】
しかしながら、電波受信状況は時々刻々と変化するのに対し、特許文献１及び２記載の従来方法では、急激に変化するフェージング等に対して十分に追従することができず、受信したＱＡＭ信号のレベルを安定に制御することができない。
【０００９】
本発明は以上の点に鑑みなされたもので、ＱＡＭ信号のレベルを安定に規定レベルに制御し得る無線通信方法並びに変調装置及び復調装置を提供することを目的とする。
【課題を解決するための手段】
【００１０】
上記の目的を達成するため、本発明の無線通信方法は、ユーザデータを直交振幅変調して得た直交振幅変調波信号を無線送信し、無線送信された直交振幅変調波信号を受信して直交復調する無線通信方法において、ユーザデータに、直交振幅変調波信号の信号点配置図において予め定めた複数の信号点の複数のシンボルデータからなるフレームデータを一定周期で付加する第１のステップと、フレームデータが付加されたユーザデータを、シンボルデータのＩ信号とＱ信号に変換する第２のステップと、Ｉ信号及びＱ信号から直交振幅変調波信号を生成する第３のステップと、生成された直交振幅変調波信号を無線送信する第４のステップと、無線送信された直交振幅変調波信号を受信する第５のステップと、受信した直交振幅変調波信号を直交復調して復調Ｉ信号と復調Ｑ信号を得る第６のステップと、復調Ｉ信号又は復調Ｑ信号に付加されたフレームデータからシンボル点を抽出する第７のステップと、第７のステップで抽出したシンボル点に基づいて、一定周期に付加されている複数のシンボル点の絶対値の平均値を計算し、その平均値に基づいて復調Ｉ信号と復調Ｑ信号の閾値を算出する第８のステップと、閾値を用いて復調Ｉ信号と復調Ｑ信号をシンボルデータからビットデータに変換してユーザデータを復調する第９のステップとを含むことを特徴とする。
【００１１】
この発明では、受信側において、フレームデータからシンボル点を抽出して、一定周期に付加されている複数のシンボル点の絶対値の平均値を計算し、その平均値に基づいて復調Ｉ信号と復調Ｑ信号の閾値を算出するようにしたため、伝送路において、受信レベルに変動が起きても正確に閾値を算出することができる。また、受信信号のＣＮ比が悪くても正確に閾値を算出することができる。
【００１２】
また、上記の目的を達成するため、本発明はユーザデータを直交振幅変調して生成された直交振幅変調波信号を無線送信する送信装置に設けられた変調装置において、ユーザデータに、直交振幅変調波信号の信号点配置図において予め定めた複数の信号点の複数のシンボルデータからなるフレームデータを一定周期で付加するフレームデータ付加手段と、フレームデータが付加されたユーザデータを、シンボルデータのＩ信号とＱ信号に変換するビット／シンボル変換手段と、Ｉ信号及びＱ信号から直交振幅変調波信号を生成する直交変調手段とを有することを特徴とする。
【００１３】
この発明では、受信側において、一定周期に付加されている複数のシンボル点の絶対値の平均値を計算し、その平均値に基づいて復調Ｉ信号と復調Ｑ信号の閾値を算出させるためのフレームデータをユーザデータに付加することができる。
【００１４】
また上記の目的を達成するため、本発明は、ユーザデータに、送受信する直交振幅変調波信号の信号点配置図において予め定めた複数の信号点の複数のシンボルデータからなるフレームデータが、一定周期で付加されたデータを、直交振幅変調して生成された直交振幅変調波信号を受信する受信装置に設けられた復調装置であって、受信した直交振幅変調波信号を直交復調して復調Ｉ信号と復調Ｑ信号を得る直交復調手段と、復調Ｉ信号又は復調Ｑ信号に付加されたフレームデータからシンボル点を抽出するシンボル点抽出手段と、シンボル点抽出手段で抽出したシンボル点に基づいて、一定周期に付加されている複数のシンボル点の絶対値の平均値を計算し、その平均値に基づいて復調Ｉ信号と復調Ｑ信号の閾値を算出するレベル制御手段と、閾値を用いて復調Ｉ信号と復調Ｑ信号をシンボルデータからビットデータに変換してユーザデータを復調するシンボル／ビット変換手段とを有することを特徴とする。
【００１５】
この発明では、フレームデータからシンボル点を抽出して、一定周期に付加されている複数のシンボル点の絶対値の平均値を計算し、その平均値に基づいて復調Ｉ信号と復調Ｑ信号の閾値を算出するようにしたため、伝送路において、受信レベルに変動が起きても正確に閾値を算出することができる。また、受信信号のＣＮ比が悪くても正確に閾値を算出することができる。
【００１６】
ここで、上記の各発明におけるフレームデータは、直交振幅変調波信号の信号点配置図において四隅の位置にある４つの信号点又は四隅の位置のうち対角位置にある２つの信号点からなるデータであることを特徴とする。このようにフレームデータを設定した場合は、復調側で信号識別のための閾値を求める際に計算し易くできる。
【発明の効果】
【００１７】
本発明によれば、フレームデータからシンボル点を抽出して、一定周期に付加されている複数のシンボル点の絶対値の平均値を計算し、その平均値に基づいて復調Ｉ信号と復調Ｑ信号の閾値を算出することにより、伝送路において、受信レベルに変動が起きても正確に閾値を算出することができるため、受信レベルが変動してもユーザデータを正確に復調することができる。
【００１８】
また、本発明によれば、複数のシンボル点の絶対値の平均値に基づいて、復調Ｉ信号と復調Ｑ信号の閾値を求めているので、受信信号のＣＮ比が悪くても、ユーザデータを正確に復調できる。
【発明を実施するための最良の形態】
【００１９】
次に、本発明の実施の形態について図面と共に説明する。図１は本発明になる無線通信方法並びに変調装置及び復調装置の一実施の形態のブロック図を示す。同図において、ユーザデータａは本発明の一実施の形態の変調装置１０に供給され、ここで例えば１６ＱＡＭ信号に変調された後、アナログ送信部２０により所定の周波数帯の一定レベルの送信信号に変換されて無線送信される。また、上記の送信信号はアナログ受信部３０で受信され、かつ、ＡＧＣ回路により一定レベルとなるように制御されて受信信号ｅとなり、復調装置４０により復調されてユーザデータａ’として出力される。
【００２０】
ここで、上記の変調装置１０は、フレーム付加器１１、ビット／シンボル変換器１２、帯域制限フィルタ１３、アップサンプラ１４、直交変調器１５から構成されており、ユーザデータａにフレーム付加器１１にて、予め定めた所定のフレームデータを付加した後、ビット／シンボル変換器１２にてビットデータをシンボルデータに変換してベースバンド信号（実際には、Ｉ−ＤＡＴＡｃ及びＱ−ＤＡＴＡｄ）を出力し、帯域制限フィルタ１３、アップサンプラ１４を通した後に、直交変調器１５で直交変調を行って１６ＱＡＭ信号を生成する。
【００２１】
また、復調装置４０は、直交復調器４１、帯域制限フィルタ４２、シンボル点抽出回路４３、ＡＬＣ(Automatic Level Control)回路４４、シンボル／ビット変換器４５、フレーム除去器４６から構成されており、直交復調器４１より出力されるＩ−ＤＡＴＡｆ、Ｑ−ＤＡＴＡｇを帯域制限フィルタ４２に通した後、シンボル点抽出回路４３にてシンボル点抽出を行う。ＡＬＣ回路４４は受信レベルから閾値を計算し、その閾値を用いてシンボル／ビット変換器４５にてシンボルデータをビットデータｈに変換した後、フレーム除去器４６にてフレームデータを除去してユーザデータａ’を出力する。
【００２２】
次に、本実施の形態の動作について説明する。送信されるべきユーザデータａは、変調装置１０内のフレーム付加器１１に入力され、ここで周期的にフレームデータが挿入されたビットデータｂにされる。図２はフレーム付加器１１から出力されるフレームデータのフレームフォーマットを示し、固定長のユーザデータａ１、ａ２の直前にフレームデータｓ１、ｓ２が周期的に挿入されている。このとき、搬送波対雑音比（ＣＮ比：Carrier to Noise ratio)の悪い状況でも安定した閾値を算出するため数シンボルデータ分のフレームデータを連続的に付加する。
【００２３】
ここで、付加するフレームデータｓ１、ｓ２、ｓ３等の各々は、ＢＴＲ（Bit Timing Recovery）と固定パターンのユニークワードとからなり、それぞれシンボルデータに変換する際に、信号点配置図における四隅の点となるようなデータに設定されている。例えば、出力される変調波が１６ＱＡＭの場合は、信号点配置図は、ビット／シンボル変換器１２から出力される同相成分Ｉ（Ｉ−ＤＡＴＡ）を示すＩ軸を横軸にとり、直交成分Ｑ（ＱーＤＡＴＡ）を示すＱ軸を縦軸にとったときに、図３に（１）〜（１６）で示すように、４つの象限の各々について４個ずつ、計１６個の信号点で表されるので、その中の四隅の点である（１）、（４）、（１３）、（１６）で示す信号点の各データのうち、ＢＴＲは対角位置にある２つの信号点（１）と（１６）の各データが交互に、又は（４）と（１３）の各データが交互に、複数シンボル分連続的に配置された構成であり、ユニークワードは四隅の信号点すべてが混在した構成である。これは四隅の信号点のデータの方が復調側で信号識別のための閾値を求める際に計算し易いからである。
【００２４】
再び図１に戻って説明するに、フレーム付加器１１から出力された図２のフレームフォーマットのフレームデータｂはビットデータであり、次段のビット／シンボル変換器１２にてシンボルデータに変換され（１６ＱＡＭの場合、４ビットが１シンボル）、ベースバンド信号（実際には、Ｉ−ＤＡＴＡ（Ｉ信号）ｃ及びＱ−ＤＡＴＡ（Ｑ信号）ｄ）とされる。このＩ信号ｃ及びＱ信号ｄは、帯域制限フィルタ１３により帯域制限された後、アップサンプラ１４で高周波数にサンプリングされる。帯域制限フィルタ１３はルートナイキストフィルタであり、アップサンプラ１４でのサンプリングにより折返し歪み成分となる高周波数成分を除去する。アップサンプラ１４は中間周波数（ＩＦ周波数）である例えば１０ＭＨｚにＩ信号及びＱ信号をサンプリングする。
【００２５】
アップサンプラ１４から出力されたアップサンプル後のＩ信号及びＱ信号は、直交変調器１５に供給され、ＩＦ周波数である例えば１０ＭＨｚを搬送波とする直交振幅変調が行われて１６ＱＡＭ信号とされる。この１６ＱＡＭ信号は、アナログ送信部２０に供給され、ここで所定の周波数帯の送信信号に変換された後、アンテナを介して無線送信される。
【００２６】
上記の送信信号は、アンテナを介してアナログ受信部３０で受信され、中間周波数帯に変換されると共にＡＧＣ回路により一定レベルとされた受信信号ｅとして取り出され、復調装置４０内の直交復調器４１に供給されて直交復調される。直交復調器４１から取り出されたＩ−ＤＡＴＡ（Ｉ信号）ｆ及びＱ−ＤＡＴＡ（Ｑ信号）ｇは、帯域制限フィルタ４２に供給されて帯域制限された後、シンボル点抽出回路４３に供給される。
【００２７】
ここで、図２のフレームフォーマットにおいて、フレームデータは数シンボル（例えば、１６シンボル）存在し、既知のデータであるものとすると、シンボル点抽出回路４３の入力はシンボルレートに対して８倍のサンプリングレートで入ってくる（データが１，２，３，・・・，１２７、１２８の順で入力されるものとする。）。つまり、８点おきにシンボル点が存在するので、データ列Ａ＝１，９，・・・，１２１、データ列Ｂ＝２，１０，・・・，１２２、・・・、データ列Ｈ＝８，１６，・・・，１２８の列のうちのいずれかのデータ列がシンボル点の集合となる。
【００２８】
シンボル点抽出回路４３は後述する方法で何番目がシンボル点であるかを識別して、シンボル点の抽出をする。ただし、このシンボル点の抽出に際しては、Ｉ−ＤＡＴＡ（Ｉ信号）ｆ及びＱ−ＤＡＴＡ（Ｑ信号）ｇのうちの一方の信号を利用する。
【００２９】
上記について更に具体的に説明すると、送信側で例えば図５に示す信号点配置図の四隅の信号点（４）と（１３）の２つのシンボルデータを交互に繰り返した複数シンボル分を含む構成のフレームデータを付加して送信するものとすると、図１の帯域制限フィルタ１３の入力Ｉ信号ｃは図６に、また入力Ｑ信号ｄは図８に示すものとなり、帯域制限フィルタ１３から出力されるＩ信号及びＱ信号は図７、図９にそれぞれ示す波形となる。また、受信側の帯域制限フィルタ４２から出力されるＩ信号は図７に、Ｑ信号は図９に示す波形となる。
【００３０】
従って、シンボル点抽出回路４３には、図７及び図９に示すように、シンボルレートに対し８倍のサンプリング周波数でサンプリングされたＩ信号とＱ信号とが入力されるので、８点おきにシンボル点が存在する。ここで、シンボル点抽出回路４３が図７に示す受信Ｉ信号からシンボル点を抽出するものとすると、図７ではピーク値がシンボル点となっているが、実際には、単純にピーク値をシンボル点とするのは信頼性の点で問題であるので、サンプル点を１つずつずらしながら、連続した８点の値を下記のように加算（積分）する。
【００３１】
［１］＝Ａ＋Ｂ＋Ｃ＋Ｄ＋Ｅ＋Ｆ＋Ｇ＋Ｈ
［２］＝Ｂ＋Ｃ＋Ｄ＋Ｅ＋Ｆ＋Ｇ＋Ｈ＋Ｉ
［３］＝Ｃ＋Ｄ＋Ｅ＋Ｆ＋Ｇ＋Ｈ＋Ｉ＋Ｊ
［４］＝Ｄ＋Ｅ＋Ｆ＋Ｇ＋Ｈ＋Ｉ＋Ｊ＋Ｋ
［５］＝Ｅ＋Ｆ＋Ｇ＋Ｈ＋Ｉ＋Ｊ＋Ｋ＋Ｌ
［６］＝Ｆ＋Ｇ＋Ｈ＋Ｉ＋Ｊ＋Ｋ＋Ｌ＋Ｍ
［７］＝Ｇ＋Ｈ＋Ｉ＋Ｊ＋Ｋ＋Ｌ＋Ｍ＋Ｎ
［８］＝Ｈ＋Ｉ＋Ｊ＋Ｋ＋Ｌ＋Ｍ＋Ｎ＋Ｏ
なお、上記のアルファベットＡ〜Ｏは図７に示すサンプリング点を示す。
【００３２】
そして、上記の［１］〜［８］を比較すると、［１］のときに値が最も大きくなる。この［１］の始まりであるＡ点の次から数えて４番目（Ｅ点）がシンボル点であることが分かる。このシンボル点（Ｅ点）が求まると、＋８、＋１６、＋２４、＋３２、＋４０番目（Ｍ、Ｕ、Ａ１、Ｂ１、Ｃ１、Ｄ１、Ｅ１点）がシンボル点であることが分かるので、それらの点の値の絶対値の平均値を求めることにより、安定したシンボル点の値を求めることができる。
【００３３】
シンボル点抽出回路４３により抽出されたシンボル点の集合のＩ−ＤＡＴＡ（Ｉ信号）とＱ−ＤＡＴＲＡ（Ｑ信号）とは、ユーザデータと共にＡＬＣ回路４４に供給され、ここで、Ｉ信号を横軸、Ｑ信号を縦軸とする図４に示す信号点配置図において、抽出されて入力されたシンボル点が四隅の点（図４の３ａ、３ｂ）であること、各シンボル点が等間隔に並んでいることを利用してＩ−ＤＡＴＡ、Ｑ−ＤＡＴＡそれぞれのシンボル間の閾値（図４の２ａ及び２ｂ）を求めることができる。
【００３４】
すなわち、各フレームデータのそれぞれのＢＴＲには、前述したように、図３の四隅の信号点（１）、（４）、（１３）、（１６）のうち、対角位置にある２つの信号点（１）と（１６）又は（４）と（１３）で表されるデータが複数シンボル分設定されているので、ＡＬＣ回路４４ではこれら複数シンボル分のデータのｘ成分の絶対値の平均をとることで、図４の３ａの点のレベルを求め、複数シンボル分のデータのｙ成分の絶対値の平均をとることにより、図４の３ｂの点のレベルを求め、更に、３ａ、３ｂの点から−３ａ、−３ｂの点のレベルを求めた後、各シンボルが等間隔に並んでいることを利用してＩ−ＤＡＴＡ、Ｑ−ＤＡＴＡそれぞれのシンボル間の閾値（図４の２ａ及び２ｂ）を求める。
【００３５】
ＡＬＣ回路４４で上記のようにして求められた閾値の情報が、シンボルデータであるＩ−ＤＡＴＡ、Ｑ−ＤＡＴＡと共にシンボル／ビット変換器４５に供給され、ここでシンボルデータが図２のフレームフォーマットのビットデータｈに変換される。フレーム除去器４６は入力された図２のフレームフォーマットのビットデータｈからフレームデータを除去してユーザデータａ’のみを出力する。このユーザデータａ’は送信されたユーザデータａを復調したものである。
【００３６】
ここで、本実施の形態では、ＡＬＣ回路４４で閾値を求める際、従来はＣＮ比が悪ければ正確な値を求めることができず正しいユーザデータに変換できなくなるが、本実施の形態では、数シンボル分のフレームデータを平均することにより閾値を求めるようにしているため、ＣＮ比が悪くても正確に閾値を求めることができ、これにより正確な復調動作ができる。
【００３７】
なお、本発明は上記の実施の形態に限定されるものではなく、例えば、フレームデータｓ１等には信号点配置図の四隅の対角位置にある２つの信号点のデータが複数シンボル分とユニークワードとが配置されているが、これに限らない。更に、１６ＱＡＭ以外の多値ＱＡＭにも、上記と同様にして本発明を適用することができる。
【図面の簡単な説明】
【００３８】
【図１】本発明の一実施の形態のブロック図である。
【図２】図１中のフレーム付加器の出力信号のフレームフォーマットを示す図である。
【図３】１６ＱＡＭの信号点配置図である。
【図４】図１中のＡＬＣ回路での閾値を求める動作を説明する信号点配置図である。
【図５】フレームデータとして伝送される信号の一例を説明する信号点配置図を示す図である。
【図６】図１の変調装置内の帯域制限フィルタの入力Ｉ信号の一例の信号波形図である。
【図７】図１の変調装置及び復調装置内の各帯域制限フィルタの出力Ｉ信号の一例の信号波形図である。
【図８】図１の変調装置内の帯域制限フィルタの入力Ｑ信号の一例の信号波形図である。
【図９】図１の変調装置及び復調装置内の各帯域制限フィルタの出力Ｑ信号の一例の信号波形図である。
【符号の説明】
【００３９】
１０  変調装置
１１  フレーム付加器
１２  ビット／シンボル変換器
１３、４２  帯域制限フィルタ
１４  アップサンプラ
１５  直交変調器
４０  復調装置
４１  直交復調器
４３  シンボル点抽出回路
４４  ＡＬＣ回路
４５  シンボル／ビット変換器
４６  フレーム除去器
ａ  ユーザデータ
ａ’  復調ユーザデータ
ｂ、ｈ  ビットデータ
ｃ，ｆ  ＩーＤＡＴＡ（Ｉ信号）
ｄ，ｇ  Ｑ−ＤＡＴＡ（Ｑ信号）
ｅ  受信信号
【図１】
2007110386.tif 000003
【図２】
2007110386.tif 000004
【図３】
2007110386.tif 000005
【図４】
2007110386.tif 000006
【図５】
2007110386.tif 000007
【図６】
2007110386.tif 000008
【図７】
2007110386.tif 000009
【図８】
2007110386.tif 000010
【図９】
2007110386.tif 000011